【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
測定対象面に光を照射するための発光素子と、
前記発光素子が発した光のうち前記測定対象面で正反射した正反射光を受光するための第１受光素子と、
前記発光素子が発した光のうち前記測定対象面で散乱反射した散乱反射光を受光するための第２受光素子と、
前記発光素子、前記第１受光素子及び前記第２受光素子がそれぞれ実装される基板と、
前記発光素子が発する光を規制して前記測定対象面へ照射させる発光用導光路と、前記正反射光のうち前記第１受光素子側に反射した正反射光を規制して前記第１受光素子に入射させるための第１受光用導光路と、前記散乱反射光のうち前記第２受光素子側に反射した散乱反射光を規制して前記第２受光素子に入射させるための第２受光用導光路と、を有し、前記基板に取り付けられるホルダ部材と、
を備える光学検知装置であって、
前記測定対象面の法線方向に関して、前記第２受光用導光路の開口部の前記発光用導光路に近い側の縁が、前記発光用導光路の開口部の前記第２受光用導光路に近い側の縁よりも前記測定対象面から離れた位置にあり、前記発光用導光路と前記第２受光用導光路とが並ぶ方向に直交し前記測定対象面に垂直な方向で見て、前記第２受光用導光路の開口部の前記発光用導光路に近い側の縁が、前記発光用導光路の開口部に対し、前記正反射光のうち前記第２受光素子側に反射した正反射光が到達する位置よりも外側であることを特徴とする光学検知装置。
【請求項２】
前記ホルダ部材は、前記法線方向に関して、前記第２受光用導光路の開口部の前記発光用導光路に近い側の縁と前記発光用導光路の開口部の前記第２受光用導光路に近い側の縁との間の部分は、前記正反射光のうち前記第２受光素子側に反射した正反射光を、前記第２受光用導光路内に侵入させない方向に反射させる形状であることを特徴とする請求項１に記載の光学検知装置。
【請求項３】
前記部分は、前記正反射光のうち前記第２受光素子側に反射した正反射光を、前記第２受光用導光路内に侵入させない方向に反射させる角度で傾斜した傾斜面を含むことを特徴とする請求項２に記載の光学検知装置。
【請求項４】
測定対象面に光を照射するための発光素子と、
前記発光素子が発した光のうち前記測定対象面で正反射した正反射光を受光するための第１受光素子と、
前記発光素子が発した光のうち前記測定対象面で散乱反射した散乱反射光を受光するための第２受光素子と、
前記発光素子、前記第１受光素子及び前記第２受光素子がそれぞれ実装される基板と、
前記発光素子が発する光を規制して前記測定対象面へ照射させる発光用導光路と、前記正反射光のうち前記第１受光素子側に反射した正反射光を規制して前記第１受光素子に入射させるための第１受光用導光路と、前記散乱反射光のうち前記第２受光素子側に反射した散乱反射光を規制して前記第２受光素子に入射させるための第２受光用導光路と、を有し、前記基板に取り付けられるホルダ部材と、
を備える光学検知装置であって、
前記ホルダ部材は、前記測定対象面の法線方向に関して、前記第２受光用導光路の開口部の前記発光用導光路に近い側の縁と前記発光用導光路の開口部の前記第２受光用導光路に近い側の縁との間の部分は、前記正反射光のうち前記第２受光素子側に反射した正反射光を、前記第２受光用導光路内に侵入させない方向に反射させる形状であり、
前記部分は、前記正反射光のうち前記第２受光素子側に反射した正反射光を、前記第２受光用導光路内に侵入させない方向に反射させる角度で傾斜した傾斜面を含むことを特徴とする光学検知装置。
【請求項５】
前記傾斜面は、前記第２受光用導光路の開口部の前記発光用導光路に近い側の縁から前記発光用導光路の開口部の前記第２受光用導光路に近い側の縁に向かうにしたがって前記第２受光用導光路の中心線から離れるように傾斜することを特徴とする請求項３又は４に記載の光学検知装置。
【請求項６】
前記傾斜面の角度は、前記正反射光のうち前記第２受光素子側に反射した正反射光を、前記第２受光用導光路から遠ざける方向に反射させる角度であることを特徴とする請求項３〜５のいずれか１項に記載の光学検知装置。
【請求項７】
前記部分は、前記法線方向及び前記法線方向に直交する方向のそれぞれに対して傾斜する部分を含むことを特徴とする請求項２〜６のいずれか１項に記載の光学検知装置。
【請求項８】
前記基板に実装された前記発光素子の光軸は、前記基板の実装面に対し直交又は略直交することを特徴とする請求項１〜７のいずれか１項に記載の光学検知装置。
【請求項９】
前記基板に実装された前記第１受光素子及び前記第２受光素子の光軸は、前記基板の実装面に対し直交又は略直交することを特徴とする請求項８に記載の光学検知装置。
【請求項１０】
トナー像を形成する画像形成部と、
請求項１〜９のいずれか１項に記載の光学検知装置と、
を備え、前記光学検知装置によって前記トナー像を検知することを特徴とする画像形成装置。
【請求項１１】
前記画像形成部は、測定対象面としてトナー像を担持するベルトを有し、
前記光学検知装置によって前記ベルトに担持された前記トナー像を検知することを特徴とする請求項１０に記載の画像形成装置。
【手続補正２】
【補正対象書類名】明細書
【補正対象項目名】０００６
【補正方法】変更
【補正の内容】
【０００６】
上記目的を達成するために本発明に係る光学検知装置は、
測定対象面に光を照射するための発光素子と、
前記発光素子が発した光のうち前記測定対象面で正反射した正反射光を受光するための第１受光素子と、
前記発光素子が発した光のうち前記測定対象面で散乱反射した散乱反射光を受光するための第２受光素子と、
前記発光素子、前記第１受光素子及び前記第２受光素子がそれぞれ実装される基板と、
前記発光素子が発する光を規制して前記測定対象面へ照射させる発光用導光路と、前記正反射光のうち前記第１受光素子側に反射した正反射光を規制して前記第１受光素子に入射させるための第１受光用導光路と、前記散乱反射光のうち前記第２受光素子側に反射した散乱反射光を規制して前記第２受光素子に入射させるための第２受光用導光路と、を有し、前記基板に取り付けられるホルダ部材と、
を備える光学検知装置であって、
前記測定対象面の法線方向に関して、前記第２受光用導光路の開口部の前記発光用導光路に近い側の縁が、前記発光用導光路の開口部の前記第２受光用導光路に近い側の縁よりも前記測定対象面から離れた位置にあり、前記発光用導光路と前記第２受光用導光路とが並ぶ方向に直交し前記測定対象面に垂直な方向で見て、前記第２受光用導光路の開口部の前記発光用導光路に近い側の縁が、前記発光用導光路の開口部に対し、前記正反射光のうち前記第２受光素子側に反射した正反射光が到達する位置よりも外側であることを特徴とする。
また、上記目的を達成するために本発明に係る光学検知装置は、
測定対象面に光を照射するための発光素子と、
前記発光素子が発した光のうち前記測定対象面で正反射した正反射光を受光するための第１受光素子と、
前記発光素子が発した光のうち前記測定対象面で散乱反射した散乱反射光を受光するための第２受光素子と、
前記発光素子、前記第１受光素子及び前記第２受光素子がそれぞれ実装される基板と、
前記発光素子が発する光を規制して前記測定対象面へ照射させる発光用導光路と、前記正反射光のうち前記第１受光素子側に反射した正反射光を規制して前記第１受光素子に入射させるための第１受光用導光路と、前記散乱反射光のうち前記第２受光素子側に反射した散乱反射光を規制して前記第２受光素子に入射させるための第２受光用導光路と、を有し、前記基板に取り付けられるホルダ部材と、
を備える光学検知装置であって、
前記ホルダ部材は、前記測定対象面の法線方向に関して、前記第２受光用導光路の開口部の前記発光用導光路に近い側の縁と前記発光用導光路の開口部の前記第２受光用導光路に近い側の縁との間の部分は、前記正反射光のうち前記第２受光素子側に反射した正反射光を、前記第２受光用導光路内に侵入させない方向に反射させる形状であり、
前記部分は、前記正反射光のうち前記第２受光素子側に反射した正反射光を、前記第２受光用導光路内に侵入させない方向に反射させる角度で傾斜した傾斜面を含むことを特徴とする。
また、上記目的を達成するために本発明に係る画像形成装置は、
トナー像を形成する画像形成部と、
上記光学検知装置と、
を備え、前記光学検知装置によって前記トナー像を検知することを特徴とする。